(57)【要約】【課題】適切な照度および撮影環境を実現し美しい撮影を可能とするフラッシュを備える自動写真作成装置を提供する。【解決手段】本自動写真作成装置は、利用者Ｕが入る撮影室２と、利用者Ｕの撮影画像を含む合成画像を生成して写真シールとして出力する本体部４とを備える。撮影室２は、視野選択性フィルムが貼られ利用者Ｕの前面を閃光により照らす複数のフラッシュと、利用者Ｕ背後の左右上方から利用者Ｕの頭部付近を閃光により照らしてつやを出す補助フラッシュ２１０Ｌ，２１０Ｒと、利用者Ｕの背後に設けられ背景または前景として撮影される複数のシートを含むカーテン３００と、接続コード３２で接続される把持可能な手持ちカメラ３０と、天井部に設けられたドーム型フラッシュ６とを備える。これらのフラッシュによって、所望の位置を適切な明るさで照らすことにより、適切な撮影環境が実現される。【選択図】　　　　図１
2004029737.tif 000002
【特許請求の範囲】
【請求項１】
所定の撮影領域における被写体を撮影する撮影手段と、所定の方向へ閃光を放つフラッシュ手段と、当該撮影手段により得られる撮影画像または当該撮影画像を含む合成画像を写真として出力する出力装置とを備える自動写真作成装置であって、
前記フラッシュ手段は、前記所定の方向と前記撮影領域内の所定の位置への方向とがなす角度が所定の角度より大きくなると前記閃光の光強度を減衰する減衰手段を含むことを特徴とする自動写真作成装置。
【請求項２】
前記フラッシュ手段は、前記被写体と前記撮影手段との位置関係に応じて前記被写体が受ける閃光の強度が小さくなるように、前記所定の方向と前記被写体への方向とがなす角度が所定の角度より大きくなると前記閃光の光強度を減衰する減衰手段を含むことを特徴とする、請求項１に記載の自動写真作成装置。
【請求項３】
前記フラッシュ手段は、前記撮影手段が設けられる位置を基点として前記撮影手段により撮影されるべき方向に対して略垂直方向に離れた位置に設けられることを特徴とする、請求項１または請求項２に記載の自動写真作成装置。
【請求項４】
前記減衰手段は、視野選択性フィルムまたは視野選択性ガラスであることを特徴とする、請求項１から請求項３までのいずれか１項に記載の自動写真作成装置。
【請求項５】
前記減衰手段は、前記所定の方向および前記被写体への方向を含む平面に対して略垂直な平面を有し、前記所定の方向へ所定の奥行き長を有する１つ以上の遮光板であることを特徴とする、請求項１から請求項３までのいずれか１項に記載の自動写真作成装置。
【請求項６】
所定の撮影領域における被写体を撮影する撮影手段と、当該撮影手段により得られる撮影画像または当該撮影画像を含む合成画像を写真として出力する出力装置とを備える自動写真作成装置であって、
前記被写体の頭部の高さよりも高い位置であってかつ前記撮影手段に対して前記被写体より後方に設けられており、前記被写体の頭部付近を照らすべき閃光を放つ補助フラッシュ手段を備えることを特徴とする自動写真作成装置。
【請求項７】
前記補助フラッシュ手段は、前記撮影手段により撮影されるべき方向を基準として前記被写体から所定の角度をなす左方向または右方向のいずれか一方または双方の所定位置に設けられることを特徴とする、請求項６に記載の自動写真作成装置。
【請求項８】
前記所定の角度は、略４５度であることを特徴とする、請求項７に記載の自動写真作成装置。
【請求項９】
前記補助フラッシュ手段は、前記閃光が放たれるべき方向の中心方向から左方向または右方向への角度が所定の角度より大きくなると前記閃光の光強度を減衰し、前記中心方向から略鉛直方向に角度が変化した場合には前記閃光の光強度を減衰しない減衰手段を含むことを特徴とする、請求項６から請求項８までのいずれか１項に記載の自動写真作成装置。
【請求項１０】
前記減衰手段は、視野選択性フィルムまたは視野選択性ガラスであることを特徴とする、請求項９に記載の自動写真作成装置。
【請求項１１】
所定の撮影領域における被写体を撮影する撮影ステップと、所定の方向へ閃光を放つ照明ステップと、当該撮影ステップにより得られる撮影画像または当該撮影画像を含む合成画像を写真として印刷する印刷ステップとを含む自動写真作成方法であって、
前記照明ステップでは、前記所定の方向と前記撮影領域内の所定の位置への方向とがなす角度が所定の角度より大きくなると前記閃光の光強度が減衰されることを特徴とする自動写真作成方法。
【請求項１２】
前記照明ステップでは、前記被写体と前記撮影ステップにおいて撮影を行う撮影手段との位置関係に応じて前記被写体が受ける閃光の強度が小さくなるように、前記所定の方向と前記被写体への方向とがなす角度が所定の角度より大きくなると前記閃光の光強度が減衰されることを特徴とする、請求項１１に記載の自動写真作成方法。
【請求項１３】
所定の撮影領域における被写体を撮影する撮影ステップと、当該撮影ステップにより得られる撮影画像または当該撮影画像を含む合成画像を写真として印刷する印刷ステップとを含む自動写真作成方法であって、
前記被写体の頭部の高さよりも高い位置であってかつ前記撮影ステップにおいて撮影を行う撮影手段に対して前記被写体より後方から、前記被写体の頭部付近を照らすべき閃光を放つ補助照明ステップを含むことを特徴とする自動写真作成方法。
【請求項１４】
請求項１１から請求項１３までのいずれか１項に記載の自動写真作成方法により写真として印刷されたことを特徴とする印刷媒体。
【発明の詳細な説明】
【０００１】
【発明の属する技術分野】
本発明は、利用者をカメラで撮影し、その撮影画像を写真として出力する自動写真作成装置に関する。
【０００２】
【従来の技術】
従来より、利用者をカメラで撮影し、その撮影画像を写真として出力する遊技用写真作成装置が知られている。このような遊技用写真作成装置は、遊技性または娯楽性が高いことから、撮影画像と合成すべき画像（以下「付加画像」という）を、利用者の嗜好に応じて、予め用意された多種多様な背景画像および前景画像から選択したり、ライトペン等のペン型入力手段を用いて利用者が自由に描いたりできるように構成されているものが多い。
【０００３】
例えば、従来の遊技用写真作成装置では、ＣＲＴ等の画像表示手段によりメニューが表示され、ライトペンによりメニューが選択され、またはライトペンにより絵を描くような操作を受け付ける表示入力手段を備えており、利用者によりこれらの操作入力がなされると、利用者の操作内容に基づく画像が手書き画像として生成されて撮影画像と合成されるように構成されているものがある。これらの構成により、利用者の嗜好に合わせた手書き画像を含む付加画像を生成して、遊技用写真作成装置の遊技性または娯楽性を高めることができる。
【０００４】
また、従来の遊技用写真作成装置は、カメラの撮影方向に閃光を放つフラッシュを備えるのが一般的であり、その閃光で照らされた利用者が撮影されるように構成されている。
【０００５】
さらに、従来の遊技用写真作成装置では、利用者とともに実際に撮影される利用者の背景を利用者の嗜好に合わせて変更するために、利用者の背後に設けられる背景用カーテンの色や柄を利用者が自由に選択できるように構成されているものがある。例えば、特開２０００−２６７１６２号公報には、エンドレスベルト状のスクリーンをローラおよびモータで循環させることにより、背景用カーテンの色や柄を利用者が自由に選択できる映像プリント遊戯装置の構成が開示されている。また、特開２０００−２６７１７９号公報には、ロール状に巻かれた異なる色や柄が付された複数のスクリーンから１つを引き出すことにより、背景用カーテンの色や柄を利用者が自由に選択できる映像プリント遊戯装置の構成が開示されている。これらの構成により、利用者の嗜好に合わせた背景選択を可能にして、遊技用写真作成装置の遊技性または娯楽性を高めることができる。
【０００６】
さらにまた、従来の遊技用写真作成装置では、ＣＲＴ等の画像表示手段にメニュー、予め用意されたスタンプ画像、および画像の周囲を飾るべきフレームデザイン画像等が表示されており、ライトペンによりこのスタンプ画像やフレームデザイン画像等が選択されると、利用者の操作内容に基づきスタンプ画像やフレームデザイン画像等が撮影画像と合成されるように構成されているものがある。これらの構成により、利用者の嗜好に合わせた付加画像を生成して、遊技用写真作成装置の遊技性または娯楽性を高めることができる。
【０００７】
【発明が解決しようとする課題】
しかし、上記従来の遊技用写真作成装置において、画像表示手段により表示されたメニューをライトペンにより利用者が選択する表示入力手段を備える構成では、画像表示手段においてメニューを表示するためのソフトウェア等が必要があるためコストがかかるとともに、当該ソフトウェアにより予め定められた手順でしかメニューが表示されないために利用者がその嗜好に合わせた手順でメニューを選択することができない。特に、上記の装置構成によれば、装置が起動されていない場合やプレイが開始されていない場合、利用者は上記メニューを見ることができない。
【０００８】
また、上記従来の遊技用写真作成装置において備えられるフラッシュは、カメラの撮影方向に閃光を放つ構成であるため、利用者がカメラに近づくと利用者とフラッシュとの距離が近くなりすぎ、利用者に対して過度に強い閃光があたることになって、撮影のための適切な照度を保つことができなくなる。同様に、閃光により所定の位置を照らすとき、この所定の位置以外の位置に過度に強い閃光があたると、撮影のための適切な照明を保つことができない場合もある。
【０００９】
さらに、上記従来の遊技用写真作成装置において備えられる背景用カーテンは、背景にすべきカーテンの選択や変更が面倒であり、プレイ時間が制限されているにもかかわらず選択や変更に時間がかかる。例えば、エンドレスベルト状のスクリーンを循環させる構成では、利用者がランダムに背景用カーテンを試してみることができず、所望の背景用カーテンを選択するのに時間がかかる。ロール状に巻かれた複数のスクリーンを引き出す構成では、引き出したものの選択しなかったスクリーンを元の状態に巻き直さなければならないため面倒であり、時間もかかる。また、上記の背景用カーテンでは、１つのカーテンにより１つの背景が形成されるため、背景のバリエーションがカーテンの数に制限される。
【００１０】
さらにまた、従来の遊技用写真作成装置では、ＣＲＴ等の画像表示手段に表示されるスタンプ画像が予め用意されたものに限定されており、例えば利用者が自由にスタンプ画像を作成して自由に撮影画像と合成されるようには構成されていない。そのため、利用者の嗜好に合わせた付加画像を生成して、遊技用写真作成装置の遊技性または娯楽性を高めることができない。
【００１１】
そこで本発明では、利用者がカメラに近づいた場合でも、利用者に対して過度に強い閃光があたることなく撮影のための適切な照度を保ち、適切な撮影環境を実現し、利用者を美しく撮影することができるフラッシュを備える自動写真作成装置を提供することを目的とし、また、閃光により所定の位置を照らす場合でも、当該所定の位置以外の位置に過度に強い閃光があたることなく撮影のための適切な照明を保ち、適切な撮影環境を実現するフラッシュを備える自動写真作成装置を提供することを目的とする。
【００１２】
なお、利用者がその嗜好に合わせた手順でメニューを選択することができるとともに、装置が起動されていない場合やプレイが開始されていない場合でも利用者がメニューを見ることができる低コストな入力手段を備える自動写真作成装置を提供し、利用者が自らの嗜好に合わせた背景を簡単に短時間で選択することができ、背景のバリエーションが豊富なカーテンを備える自動写真作成装置を提供し、利用者が自らの嗜好に合わせたスタンプ画像を簡単かつ自由に作成して、自由に編集することができる自動写真作成装置を提供することを目的とすることも可能である。
【００１３】
【課題を解決するための手段および発明の効果】
第１の発明は、所定の撮影領域における被写体を撮影する撮影手段と、所定の方向へ閃光を放つフラッシュ手段と、当該撮影手段により得られる撮影画像または当該撮影画像を含む合成画像を写真として出力する出力装置とを備える自動写真作成装置であって、
前記フラッシュ手段は、前記所定の方向と前記撮影領域内の所定の位置への方向とがなす角度が所定の角度より大きくなると前記閃光の光強度を減衰する減衰手段を含むことを特徴とする。
【００１４】
このような第１の発明によれば、閃光が放たれる方向と所定の位置への方向とがなす角度が所定の角度より大きくなると前記閃光の光強度を減衰する減衰手段がフラッシュ手段に含まれる構成により、所定の位置以外の位置に過度に強い閃光があたることなく撮影のための適切な照度を保つことができる。
【００１５】
第２の発明は、第１の発明において、
所定の撮影領域における被写体を撮影する撮影手段と、所定の方向へ閃光を放つフラッシュ手段と、当該撮影手段により得られる撮影画像または当該撮影画像を含む合成画像を写真として出力する出力装置とを備える自動写真作成装置であって、
前記フラッシュ手段は、前記被写体と前記撮影手段との位置関係に応じて前記被写体が受ける閃光の強度が小さくなるように、前記所定の方向と前記被写体への方向とがなす角度が所定の角度より大きくなると前記閃光の光強度を減衰する減衰手段を含むことを特徴とする。
【００１６】
このような第２の発明によれば、被写体との角度が所定の角度より大きくなると前記閃光の光強度を減衰する減衰手段がフラッシュ手段に含まれる構成により、利用者が撮影手段に近づいた場合でも、利用者に対して過度に強い閃光があたることなく撮影のための適切な照度を保つことができる。
【００１７】
第３の発明は、第１または第２の発明において、
前記フラッシュ手段は、前記撮影手段が設けられる位置を基点として前記撮影手段により撮影されるべき方向に対して略垂直方向に離れた位置に設けられることを特徴とする。
【００１８】
第４の発明は、第１から第３までのいずれかの１つの発明において、
前記減衰手段は、視野選択性フィルムまたは視野選択性ガラスであることを特徴とする。
【００１９】
第５の発明は、第１から第３までのいずれかの１つの発明において、
前記減衰手段は、前記所定の方向および前記被写体への方向を含む平面に対して略垂直な平面を有し、前記所定の方向へ所定の奥行き長を有する１つ以上の遮光板であることを特徴とする。
【００２０】
第６の発明は、所定の撮影領域における被写体を撮影する撮影手段と、当該撮影手段により得られる撮影画像または当該撮影画像を含む合成画像を写真として出力する出力装置とを備える自動写真作成装置であって、
前記被写体の頭部の高さよりも高い位置であってかつ前記撮影手段に対して前記被写体より後方に設けられており、前記被写体の頭部付近を照らすべき閃光を放つ補助フラッシュ手段を備えることを特徴とする。
【００２１】
このような第６の発明によれば、撮影手段から見て利用者の頭部の上方からその頭部付近へ向けて閃光を放つように補助フラッシュ手段を配置する構成により、撮影画像に写るべき利用者の頭部に光輪状の美しいつやが得られる。
【００２２】
第７の発明は、第６の発明において、
前記補助フラッシュ手段は、前記撮影手段により撮影されるべき方向を基準として前記被写体から所定の角度をなす左方向または右方向のいずれか一方または双方の所定位置に設けられることを特徴とする。
【００２３】
第８の発明は、第７の発明において、
前記所定の角度は、略４５度であることを特徴とする。
【００２４】
第９の発明は、第７または第８の発明において、
前記補助フラッシュ手段は、前記閃光が放たれるべき方向の中心方向から左方向または右方向への角度が所定の角度より大きくなると前記閃光の光強度を減衰し、前記中心方向から略鉛直方向に角度が変化した場合には前記閃光の光強度を減衰しない減衰手段を含むことを特徴とする。
【００２５】
第１０の発明は、第９の発明において、
前記減衰手段は、視野選択性フィルムまたは視野選択性ガラスであることを特徴とする。
【００２６】
第１１の発明は、所定の撮影領域における被写体を撮影する撮影ステップと、所定の方向へ閃光を放つ照明ステップと、当該撮影ステップにより得られる撮影画像または当該撮影画像を含む合成画像を写真として印刷する印刷ステップとを含む自動写真作成方法であって、
前記照明ステップでは、前記所定の方向と前記撮影領域内の所定の位置への方向とがなす角度が所定の角度より大きくなると前記閃光の光強度が減衰されることを特徴とする。
【００２７】
第１２の発明は、第１１の発明において、
前記照明ステップでは、前記被写体と前記撮影ステップにおいて撮影を行う撮影手段との位置関係に応じて前記被写体が受ける閃光の強度が小さくなるように、前記所定の方向と前記被写体への方向とがなす角度が所定の角度より大きくなると前記閃光の光強度が減衰されることを特徴とする。
【００２８】
第１３の発明は、所定の撮影領域における被写体を撮影する撮影ステップと、当該撮影ステップにより得られる撮影画像または当該撮影画像を含む合成画像を写真として印刷する印刷ステップとを含む自動写真作成方法であって、
前記被写体の頭部の高さよりも高い位置であってかつ前記撮影ステップにおいて撮影を行う撮影手段に対して前記被写体より後方から、前記被写体の頭部付近を照らすべき閃光を放つ補助照明ステップを含むことを特徴とする。
【００２９】
第１４の発明は、第１１から第１３までのいずれかの１つの発明により写真として印刷されたことを特徴とする印刷媒体である。
【００３０】
さらに、課題を解決するための手段として以下のような構成も考えられる。
第１の構成は、所定の撮影領域における被写体を撮影する撮影手段と、当該撮影手段により得られる撮影画像または当該撮影画像を含む合成画像を写真として出力する出力装置とを備える自動写真作成装置であって、
前記撮影画像または前記合成画像を表示して、画像編集を行うべき利用者による操作を受け付ける表示入力手段と、
前記撮影画像または前記合成画像を編集するための印刷されたメニューを有しており、当該メニューに基づいて前記利用者による画像編集のための操作を受け付ける非表示入力手段と
を備えることを特徴とする。
【００３１】
このような第１の構成によれば、印刷されたメニューを有する構成により、利用者がその嗜好に合わせた手順でメニューを選択することができるとともに、装置が起動されていない場合やプレイが開始されていない場合でも利用者がメニューを見ることができる低コストな入力手段を提供することができる。
【００３２】
第２の構成は、第１の構成において、
前記非表示入力手段は、デジタイザを含むことを特徴とする。
【００３３】
第３の構成は、第１または第２の構成において、
前記非表示入力手段は、めくることができる複数のページからなるメニューを有していることを特徴とする。
【００３４】
第４の構成は、第３の構成において、
前記非表示入力手段は、前記複数のページのうちのいずれが開かれているかを判別するための検知手段を含むことを特徴とする。
【００３５】
第５の構成は、第４の構成において、
前記検知手段は、近接センサ、赤外線センサ、および光センサのうちのいずれか１つ以上からなることを特徴とする。
【００３６】
第６の構成は、第１から第５までのいずれか１つの構成において、
前記表示入力手段は、前記利用者に把持される把持入力手段による画像編集のための操作を受け付け、
前記非表示入力手段は、前記表示入力手段において用いられる把持入力手段による画像編集のための操作を受け付けることを特徴とする。
【００３７】
第７の構成は、所定の撮影領域における被写体を撮影する撮影手段と、当該撮影手段により得られる撮影画像または当該撮影画像を含む合成画像を写真として出力する出力装置とを備える自動写真作成装置であって、
前記撮影手段に対向して配置されており、任意に選択された１つ以上が展開されることにより前記被写体の撮影時における背景または前景を構成する複数のカーテンと、
前記撮影手段により撮影されるべき方向へ所定の距離をあけて配置されており、前記複数のカーテンを展開可能に支持する複数の支持手段とを備えることを特徴とする。
【００３８】
このような第７の構成によれば、複数のカーテンを吊り下げた支持手段を撮影されるべき方向へ所定の間隔をあけて複数配置する構成により、利用者が自らの嗜好に合わせた背景を簡単に短時間で選択することができ、背景のバリエーションが豊富なカーテンを備える自動写真作成装置を提供することができる。
【００３９】
第８の構成は、第７の構成において、
前記複数の支持手段は、前記撮影手段により撮影されるべき方向に対して左方向または右方向へ前記複数のカーテンを展開可能に支持することを特徴とする。
【００４０】
第９の構成は、第８の構成において、
前記複数の支持手段は、それぞれ２つのカーテンを支持しており、左側の端部近傍には一方のカーテンの左端近傍が固定され、右側の端部近傍には他方のカーテンの右端近傍が固定されていることを特徴とする。
【００４１】
第１０の構成は、第７の構成において、
前記複数のカーテンのうちの少なくとも１つは、前記被写体の一部が露出すべき開口部を有しており、前記被写体の撮影時における前景を構成することを特徴とする。
【００４２】
第１１の構成は、所定の撮影領域における被写体である利用者を撮影する複数の撮影手段と、当該複数の撮影手段により得られる１つ以上の撮影画像または当該撮影画像を含む合成画像を写真として出力する出力装置とを備える自動写真作成装置であって、
前記複数の撮影手段のうちの１つ以上は、前記利用者により近傍の所望の位置へ移動可能に構成される可動撮影手段であることを特徴とする。
【００４３】
このような第１１の構成によれば、可動撮影手段を備える構成により、当該可動撮影手段により撮影されるべき位置を利用者が任意に調整して所望の撮影画像を得ることができる。
【００４４】
第１２の構成は、第１１の構成において、
前記可動撮影手段は、前記利用者により支持されることを特徴とする。
【００４５】
このような第１２の構成によれば、利用者が支持可能な可動撮影手段を備える構成により、当該可動撮影手段により撮影されるべき位置を利用者が支持しながら任意に調整して容易に所望の撮影画像を得ることができる。
【００４６】
第１３の構成は、第１１または第１２の構成において、
前記可動撮影手段は、前記利用者が把持可能に構成されており、当該利用者が操作することにより撮像タイミングを決定するシャッタ手段を含むことを特徴とする。
【００４７】
このような第１３の構成によれば、利用者が把持する可動撮影手段にシャッタボタンが備えられる構成により、利用者は位置や姿勢を崩すことなく撮像を行うことができる。
【００４８】
第１４の構成は、第１１の構成において、
前記可動撮影手段は、当該可動撮影手段により撮影されるべき撮影画像を前記利用者に確認させる確認手段を含むことを特徴とする。
【００４９】
このような第１４の構成によれば、可動撮影手段により撮影されるべき撮影画像を確認することができる確認手段を備える構成により、撮影されるべき撮影画像を撮影前に予め的確に予測することができ、可動撮影手段の位置を調整して所望の撮影画像を得ることができる。
【００５０】
第１５の構成は、第１４の構成において、
前記確認手段は、関連する可動撮影手段の画角とほぼ等しい画角を有する曲面ミラーであることを特徴とする。
【００５１】
このような第１５の構成によれば、可動撮影手段の画角と曲面ミラーの画角とがほぼ等しく構成されるため、曲面ミラーからの反射像が撮像されるべき画像とほぼ同一になる。そのため、曲面ミラーの反射像が利用者によって視認されることにより、撮影されるべき画像が撮影前に予め的確に予測することができる。
【００５２】
第１６の構成は、第１１の構成において、
前記可動撮影手段は、他の撮影手段により得られる撮影画像に対して合成されるべき合成用撮影画像を出力することを特徴とする。
【００５３】
このような第１６の構成によれば、可動撮影手段が他の撮影画像と合成されるべき合成用撮影画像を出力する構成により、他の撮影手段（例えば中央に固定されたカメラ）とは異なる位置からの撮像画像が得られるため、遊技性の高いスタンプ画像を作成する自動写真作成装置を提供することができる。
【００５４】
第１７の構成は、第１６の構成において、
前記撮影画像および前記合成画像の一方または双方を表示する表示手段と、前記合成画像を作成するために前記撮影画像に対して画像編集を行う編集手段と、当該編集手段に関連する前記利用者による操作を受け付ける入力手段とをさらに備え、
前記編集手段は、前記合成用撮影画像を繰り返して貼り付け合成可能なスタンプ画像として記憶し、前記入力手段により受け付けられた操作に応じて当該スタンプ画像を貼り付け合成することを特徴とする。
【００５５】
第１８の構成は、第１７の構成において、
前記編集手段は、前記可動撮影手段により異なる時刻に撮影された複数の合成用撮影画像をそれぞれ所定のフレームデザイン用画像と合成し、合成されたそれぞれの画像を複数のスタンプ画像として記憶することを特徴とする。
【００５６】
第１９の構成は、第１７の構成において、
前記入力手段は、前記合成画像における前記スタンプ画像を貼り付け合成すべき画像位置を示す情報を受け付けるとともに、さらに当該画像位置を中心として所定角を有する円弧が描かれることにより当該所定角を示す情報を受け付け、
前記編集手段は、前記入力手段により受け付けられた所定角に基づいて前記スタンプ画像を回転させて、前記入力手段により受け付けられた画像位置に貼り付け合成することを特徴とする。
【００５７】
第２０の構成は、所定の撮影領域における被写体を撮影する撮影手段と、撮影時に閃光を放つフラッシュ手段と、当該撮影手段により得られる撮影画像または当該撮影画像を含む合成画像を写真として出力する出力装置とを備える自動写真作成装置であって、
前記フラッシュ手段は、閃光を放つ発光部と、所定の曲率半径を有するドーム型の反射部とを含むことを特徴とする。
【００５８】
このような第２０の構成によれば、ドーム型の反射部を含むドーム型フラッシュを備える構成により、放たれた閃光が反射部により広がりをもって反射されため、撮影室内の撮影環境を均質にすることができる。また、撮影室の天井等にドーム型の形状が得られるため、美感上も好ましい。
【００５９】
第２１の構成は、第２０の構成において、
前記フラッシュ手段は、前記被写体より上方に設けられており、放たれるべき閃光に広がりをもたせるために前記曲率半径よりも前記反射部に近い距離に前記発光部を配置することを特徴とする。
【００６０】
第２２の構成は、所定の撮影領域における被写体を撮影する撮影手段と、当該撮影手段により得られる撮影画像または当該撮影画像を含む合成画像を写真として出力する出力装置とを備える自動写真作成装置であって、
前記撮影画像または前記合成画像を表示し、前記合成画像に合成されるべき付加画像の作成を含む画像編集を利用者が行うための表示を行う表示手段と、
前記利用者による前記画像編集の操作を受け付けるとともに、当該操作の前、当該操作の途中、または当該操作の後に当該利用者による撮影指示の操作を受け付ける入力手段と
を備えることを特徴とする。
【００６１】
このような第２２の構成によれば、例えば画像編集入力が受け付け中である場合や当該画像編集入力により付加画像が作成される前または後において、撮影手段から撮影画像を取得して各種画像処理を行う構成により、利用者の嗜好に合わせたタイミングで様々な撮影画像を取得して合成画像を編集・作成することができる。したがって、遊技用写真作成装置の遊技性または娯楽性を高めることができる。
【００６２】
第２３の構成は、第２２の構成において、
前記入力手段は、前記利用者による前記画像編集の操作を受け付けた後に、前記利用者による撮影指示の操作を受け付け、
前記表示手段は、前記画像編集の操作に基づいて得られる付加画像に前記入力手段により受け付けられる撮影指示の操作に基づいて得られる撮影画像を合成した合成画像を表示することを特徴とする。
【００６３】
【発明の実施の形態】
以下、本発明の一実施形態につき添付図面を参照して説明する。
＜１．全体構成＞
図１は、本発明の一実施形態に係る遊技用写真作成装置の側面図であり、図２は、本遊技用写真作成装置の平面図であり、図３は、本遊技用写真作成装置内部の本体部の正面図である。以下、これらの図を参照して、本発明の一実施形態に係る遊技用写真作成装置の全体構成について説明する。
【００６４】
この遊技用写真作成装置は、利用者Ｕが入る撮影室２と、利用者Ｕの撮影画像を含む合成画像を生成して写真シール（または写真カード）として出力する本体部４とを備えている。なお、利用者Ｕはひとりでも２人以上であってもよい。
【００６５】
撮影室２は、利用者Ｕの背後の左右上方にそれぞれ設けられて利用者Ｕの頭部付近を閃光により照らす補助フラッシュ２１０Ｌ，２１０Ｒと、利用者Ｕの背後に設けられて利用者Ｕとともに撮影されるカーテン３００とを備えている。これら補助フラッシュ２１０Ｌ，２１０Ｒおよびカーテン３００の構成については後述する。
【００６６】
また、撮影室２の天井部にはドーム型フラッシュ６が備えられている。このドーム型フラッシュ６は、図１および図２に示す所定の曲率半径を有するドーム型の反射板と、閃光を放つ発光部とを含む。この発光部は、反射板に対して上記曲率半径よりも近い距離に取り付けられている。そのため、発光部から放たれた閃光は反射板により広がりをもって反射され、撮影室２内は均質に照明される。なお、このドーム型反射板は、撮影室２内に光を広がりをもって反射する機能を有していれば足りるので、楕円球の一部であっても、多面体の一部であってもよい。また、反射面には凹凸が付されていてもよいし、反射率が低くてもよい。
【００６７】
本体部４は、図３に示すように利用者Ｕを撮影するカメラ１６と、確認用の液晶ディスプレイパネル（以下「ＬＣＤ」と略記する）１７と、後述する視野選択性フィルムを含む複数のフラッシュ２０１Ｌ，２０１Ｒ，２０２Ｌ，２０２Ｒ，２０３Ｌ，２０３Ｒ，２０４とを備える。これら複数のフラッシュは、中空のボックス形状であって、その内部に配置されて閃光を発するフラッシュ装置と、その前面に配置されて光を拡散させる拡散板とを含む。なお、上記視野選択性フィルムは、上記拡散板の前面に貼られている。これら複数のフラッシュおよび図示されない照明手段からの光が利用者Ｕを照らし、カメラ１６が利用者Ｕを撮影し、確認用ＬＣＤ１７に表示される撮影画像を利用者Ｕが見ることができる。このカメラ１６は、撮影室２において床面上に存在する利用者Ｕおよびその背後に設けられたカーテン３００を撮影して撮影画像を表す画像信号を出力する。典型的には、ＣＣＤ（電荷結合素子）を利用して画像信号を生成するデジタルカメラが使用される。確認用ＬＣＤ１７は、上記画像信号の表す画像を表示するように構成されており、カメラ１６によって得られる撮影画像を確認するために使用される。なお、図示されない照明手段は、カメラの撮影方向を照らす蛍光灯で構成され、本遊技用写真作成装置の動作中は常時点灯される。上記複数のフラッシュ２０１Ｌ〜２０４は、カメラ１６による撮影のための図示されないシャッタボタンが押下されると、数秒程度の予め決められた時間の経過後にカメラの撮影方向に閃光を放つ。そして、これらのフラッシュから閃光が放たれると、その閃光で照らされた利用者Ｕおよびカーテン３００のカメラ１６による撮影画像を表す画像信号が本体部４内の制御装置に転送され、画像ファイルとして一時的に保存される。
【００６８】
本体部４は、さらに各部の制御や画像処理を行うコンピュータで構成される制御装置や、プリンタ、メインディスプレイ装置２２等を内蔵する。メインディスプレイ装置２２はＬＣＤであって、その画面が利用者Ｕに向き合うように配置されており、そのメインディスプレイ装置２２の両側には２つのタッチペン１８Ｌ，１８Ｒが備え付けられている。また、メインディスプレイ装置２２の表面には透明なデジタイザが貼られており、利用者Ｕが上記タッチペン１８Ｌ，１８Ｒを操作するとこの透明なデジタイザによりタッチペンの座標が読みとられる。この構成により、利用者Ｕはメインディスプレイ装置２２に表示される撮影画像に付加すべき画像や文字を入力することができる。なお、この透明なデジタイザは、抵抗膜方式、超音波方式、赤外線方式、または静電誘導方式等、どのような方式であってもよい。また、上記タッチペン１８Ｌ，１８Ｒのうちの１つは省略されてもよいし、１つ以上のタッチペンが新たに設けられてもよい。
【００６９】
また、本体部４の前面すなわち利用者Ｕに向き合う面には、２つのデジタイザ１０１Ｌ，１０１Ｒが設けられており、これらのデジタイザ上には画像処理のための各種コマンドが選択可能である後述するブック型のメニューが載置されている。利用者Ｕがこれらのデジタイザ上でタッチペン１８Ｌ，１８Ｒを操作すると、電磁誘導方式によりタッチペンの座標が読みとられる。具体的には、上記ブック型メニューに記載されたコマンド（アイコン）の上で利用者がタッチペンを接触させると、そのときのタッチペンの座標が読みとられるため、利用者Ｕが選択したコマンドを判別することができる。この構成により、写真シールとして出力すべき合成画像を構成する撮影画像を選択するための選択操作手段や、合成画像生成の際に撮影画像に付加される画像（付加画像）としての背景画像や前景画像を指定する指定手段、撮影画像と合成されるべき付加画像として利用者Ｕにより描かれるべき画像（以下「手書き画像」と称する）を生成する手書き画像生成手段などを実現する。なお、デジタイザ１０１Ｌ，１０１Ｒは、赤外線方式、磁歪方式、静電誘導方式、または音響方式等、どのような方式であってもよい。また、デジタイザ１０１Ｌ，１０１Ｒは、上記透明なデジタイザであってもよく、これらのうちの１つが省略されてもまた１つ以上のデジタイザが新たに設けられてもよい。さらに、本体部４の前面中央下部（メインディスプレイ装置２２の下部）には、接続コード３２によって手持ちカメラ３０が接続されている。この手持ちカメラ３０の構成および機能については後述する。さらにまた、本体部４の前面下方にはコイン投入口２６が備えられ、その側面には写真シールの取出口２８が備えられている。
【００７０】
＜２．要部の機能的構成＞
図４は、本実施形態に係る遊技用写真作成装置の要部を機能面から見た構成を示すブロック図である。この遊技用写真作成装置の要部は、機能的には、手持ちカメラ５１と、カメラ５２と、確認表示部５４と、ビデオ分配部５６と、キャプチャ制御部５８と、画像処理部６０と、メイン表示部６２と、写真シール出力部６４と、コイン入力部６６と、操作部６７と、表示入力部６８と、照明部７０と、Ｉ／Ｏ制御部７２と、ペン入力部７４と、座標入力制御部７６と、メイン制御部８０と、非表示入力部８２と、ページ検出部８４、フラッシュ照明部７１とから構成される。
【００７１】
この構成において、手持ちカメラ５１とカメラ５２と確認表示部５４とは、本体部４における手持ちカメラ３０とカメラ１６と確認用ＬＣＤ１７とにそれぞれ相当する。また、タッチペン１８Ｌ，１８Ｒはペン入力部７４に相当し、デジタイザ１０１Ｌ，１０１Ｒは非表示入力部８２に相当する。さらに、メインディスプレイ装置２２の表面に貼り付けられた透明なデジタイザは、表示入力部６８に相当する。
【００７２】
ビデオ分配部５６は、本体部４内の制御装置に含まれるハードウェアによって実現され、シャッタボタンが押下されるまでの間にカメラ５２によって取り込まれる撮影方向の画像（「スルー画像」と呼ばれる）の信号を確認表示部５４とキャプチャ制御部５８とに分配する。これにより、スルー画像は、確認表示部５４に表示されると共に、キャプチャ制御部５８を通して画像処理部６０経由でメイン表示部６２にも表示される。
【００７３】
キャプチャ制御部５８は、制御装置に含まれるハードウェアと制御装置内のコンピュータが実行するソフトウェアとによって実現され、キャプチャ処理を実行する。すなわち、利用者Ｕの撮影のためにシャッタボタンが押下されると、メイン制御部８０からの指示に基づき、利用者Ｕ（およびその背後のカーテン３００）の撮影画像を表す信号として手持ちカメラ５１およびカメラ５２から出力されるそれぞれの画像信号を直接に（ビデオ分配部５６を介さずに）受け取り、画像処理部６０内に画像ファイルとして一時的に格納する。なお、ここでシャッタボタンは、手持ちカメラ５１に取り付けられた後述するシャッタボタンと、装置前面に配置または表示されたシャッタボタンとを含むものとする。
【００７４】
画像処理部６０は、制御装置に含まれるハードウェアと制御装置内のコンピュータが実行するソフトウェアとによって実現され、メイン制御部８０からの指示に基づき、その内部に格納されたカメラ５２による画像ファイルの表す撮影画像と、手持ちカメラ５１による画像ファイルの表す撮影画像から生成されるスタンプ画像や手書き画像等の付加画像とを合成することにより、合成画像を生成する。このスタンプ画像は、手持ちカメラ５１に対応する撮影画像をカメラ５２に対応する撮影画像に比べて小さく縮小された画像であり、利用者Ｕが表示される合成画像において所望の画像位置に所望の大きさおよび角度で繰り返し貼り付け合成することができるように画像処理部６０による画像処理が行われる。このスタンプ画像は、予め定められた画像のほか、異なる時刻に撮影された複数の撮影画像から生成される複数の画像を含むものとする。画像処理部６０は、撮影画像やスタンプ画像の周囲を互いに異なる模様や色彩で飾るべき複数のフレームデザイン画像を格納している。上記複数のスタンプ画像は、利用者Ｕの選択によりまたは自動的に上記フレームデザイン画像と合成される。
【００７５】
ページ検出部８４は、デジタイザ１０１Ｌ，１０１Ｒ上に載置されたブック型のメニューのうちのどのページが開かれているかを検知する。その構成および動作については後述する。
【００７６】
ペン入力部７４、非表示入力部８２、および表示入力部６８は、タッチペン１８Ｌ，１８Ｒの座標データやこれらのタッチペンの先がディスプレイ等の対象に触れたことを示す接触検知データ等を出力し、これらのデータが座標入力制御部７６に入力されてタッチペンの座標が算出される。メイン制御部８０は、上記のように算出された座標に基づいて利用者Ｕにより選択されたメニュー（の画像処理コマンド）を判定し、メイン制御部８０からの制御に基づく画像処理部６０によりメニューの選択結果に係る画像処理に基づく合成画像が生成される。また、メイン制御部８０は、算出された座標に基づいて、メイン表示部６２に表示されている撮影画像であって利用者Ｕにより選択される写真シールとして出力すべき合成画像を構成する撮影画像や、合成されるべきスタンプ画像などの利用者Ｕにより選択される付加画像を判別し、画像処理部６０に対して画像合成処理や各種表示処理を行うように制御する。具体的には、表示入力部６８には上記撮影画像や複数のスタンプ画像などが表示されており、利用者Ｕがタッチペンにより或るスタンプ画像を押下すると、押下された画像位置の座標により選択されたスタンプ画像が判別される。続いて、利用者Ｕが表示されている撮影画像または合成画像における所望の位置をタッチペンにより押下すると、押下された画像位置に選択された上記スタンプ画像が貼り付け合成される。さらに、利用者Ｕがタッチペンにより或るスタンプ画像を押下したまま当該画像位置を中心として所望の角度を有する円弧を描くように操作すると、メイン制御部８０およびその制御に基づく画像処理部６０は、当該タッチペンの座標変化から上記角度を計算し、選択された上記スタンプ画像を計算された角度で回転させて表示し、タッチペンが画面から離される操作により上記位置に上記角度で回転させられたスタンプ画像を貼り付け合成する。なお、このような操作は繰り返し行うことができるものとする。さらにまた、メイン制御部８０は、算出された座標に基づいて、所定の場合に手書き画像を生成するように画像処理部６０に対して制御を行う。
【００７７】
また、手持ちカメラ５１により撮影される撮影画像は、上記の画像編集操作中またはその前後のタイミング（例えば画像編集入力が受け付け中である場合や画像編集入力により付加画像が作成される前または後）のいずれかまたは全てにおいて、後述する手持ちカメラ５１のシャッタボタンが押下されることにより取得されて、これを付加画像として上記画像合成処理や各種表示処理の対象とすることができるように構成されている。したがって、画像編集部６０は、所定の画像編集操作により作成・編集された付加画像または合成画像に対して、ペン入力部７４、非表示入力部８２、または表示入力部６８が受け付けた操作に従って上記撮影画像を付加画像として、合成画像を編集・作成することができるように各種画像編集処理を行う。なお、このような画像編集処理は、カメラ５２により撮影される撮影画像に対しても同様に行われる構成であってもよい。すなわち、カメラ５２により撮影される撮影画像は、上記の画像編集操作中またはその前後のタイミングで取得されるように構成されてもよい。
【００７８】
メイン表示部６２は、本体部４におけるメインディスプレイ装置に相当し、画像処理部６０によって生成される上記のような合成画像、撮影画像、および付加画像を表示する。写真シール出力部６４は、本体部４に内蔵されるプリンタに相当し、メイン制御部８０からの指示に基づき、画像処理部６０で生成された合成画像を写真シール（または写真カード）として出力する。コイン入力部６６は、本体部４におけるコイン投入口２６と制御装置内のハードウェアとによって実現され、コイン投入口２６に投入されたコインを検出して、投入コインを示すコイン信号を出力する。
【００７９】
フラッシュ照明部７１は、本体部４における複数のフラッシュ２０１Ｌ〜２０４と、ドーム型フラッシュ６（に含まれる発光部）と、後述する補助フラッシュ２１０Ｌ，２１０Ｒとに相当し、メイン制御部８０から指示に基づきＩ／Ｏ制御部からいずれかまたは全ての上記フラッシュへ充電信号が送られ、さらにカメラ５２からのフラッシュ信号Ｓｆにより閃光を発するように制御される。照明部７０は、プレイ中は常時点灯される図示されない蛍光灯等の照明装置に相当し、メイン制御部８０からの指示に基づきＩ／Ｏ制御部７２によって調光および点灯／消灯が制御される。Ｉ／Ｏ制御部７２は、制御装置内のハードウェアによって実現され、メイン制御部８０からの指示に基づき、照明部７０およびフラッシュ照明部７１を制御すると共に、コイン入力部６６からのコイン信号をメイン制御部８０へ転送する。
【００８０】
メイン制御部８０は、制御装置内のコンピュータがソフトウェアを実行することによって実現され、上述のように各部に指示を出す。また、制御装置内のコンピュータは、タイマー機能を備えており、メイン制御部８０は、このタイマー機能を利用して、操作部６７に含まれるシャッタボタンが押下されてからキャプチャ処理が開始されるまでの時間、キャプチャ処理を許容する時間、およびタッチペンによる手書き画像の受け付けや付加画像の選択・編集を許容する時間を管理する。
【００８１】
＜３．ブック型メニューの具体的構成＞
図５は、本発明の一実施形態に係るデジタイザ１０１Ｒ上に一体として組み込まれるブック型メニューの概略的な構成を示す平面図であり、図６は、本ブック型メニューの概略的な構成を示す正面図である。なお、同様のブック型メニューはデジタイザ１０１Ｌ上に一体として組み込まれているものとする。以下、図５および図６を参照して、本ブック型メニューの構成について説明する。
【００８２】
ブック型メニュー１１０は、デジタイザ１０１Ｒ上に組み込まれてその位置を固定されており、複数の画像処理コマンドを含むメニューが印刷されているページを表裏に有する第１から第３までのシート１１１〜１１３と、これらのシートを本のようにめくることを可能にするため各シートの所定辺近傍に開口された複数の穴にリング状の留め具を通すことにより各シートを支持するシート綴代台１１５と、第１から第６までのページセンサ１２１〜１２６と、デジタイザ１０１Ｒである認識パネル１２０とを備える。なお、ブック型メニュー１１０は、デジタイザ１０１Ｒ上に載置されてその位置を固定されてもよい。
【００８３】
第１から第３までのシート１１１〜１１３は、表面および裏面に画像処理コマンドを示す着色された小さな絵（アイコン）が描かれており、このコマンド（アイコン）の上で利用者がタッチペン１８Ｒを接触させると、そのときのタッチペンの座標がデジタイザ１０１Ｒにより読みとられ、利用者Ｕが選択したコマンドが判別される。なお、このコマンドは、文字、数字、または所定の画像であってもよい。また、コマンドの内容は、各種画像処理手法のほか、手書きペンの種類などおよそ画像に対する所定の処理を指示する各種コマンドを含んでもよい。
【００８４】
また、第１のシート１１１は、上辺左端近傍が半円状に上方へ突出した形状をしており、表面（すなわち各シートをシート綴代台１１５の直上中央に支持した場合の左側の面）に上記のような所定のメニューが印刷された第１のページを有し、裏面（すなわち上記場合の右側の面）にも第１のページの内容とは異なる所定のメニューが印刷された第２のページを有している。第２のシート１１２は、上辺中央近傍が同様に突出した形状をしており、第３および第４のページを有している。第３のシート１１３は、上辺右端近傍が同様に突出した形状をしており、第５および第６のページを有している。
【００８５】
第１のページセンサ１２１は、近接センサであって、第１のシート１１１がシート綴代台１１５よりも左側にあるときに、第１のシート１１１の上記突出部の裏面側と接触または近接するように配置されており、第１のシート１１１における第１のページが閉じられている場合にはこれを検知して、第１のページ検出信号を出力する。同様に、第２のページセンサ１２２は第２のシート１１２における第３のページが閉じられていることを検知して第３のページ検出信号を出力し、第３のページセンサ１２３は第３のシート１１３における第５のページが閉じられていることを検知して第５の検出信号を出力する。また、第４から第６までのページセンサ１２４〜１２６も同様の検出信号を出力する。これらの第１から第６までのページセンサ１２１〜１２６は、図４におけるページ検出部８４に相当し、上記検出信号は座標入力制御部７６に入力されて、当該検出結果および入力されたタッチペンの座標に基づき、利用者により選択された（すなわち開かれた）ページを判別し、当該ページのメニューに記載された特定の画像処理コマンドが座標とコマンドとの対応関係を示す所定のテーブル等と照合されることにより判別される。なお、第４から第６までのページセンサ１２４〜１２６が省略される場合であっても開かれているページを判別することは可能であるが、第４から第６までのページセンサ１２４〜１２６により右側のページが確実に閉じられていることを検出する構成であるため、左右のページが閉じられて所定のページが見開かれていることを確実に検出することが可能になる。また、図示されない第４から第６までのシートがさらに設けられてシート数が６枚となる場合でも（同様にシート数が４枚または５枚となる場合でも）、第１から第３までのページセンサ１２１〜１２３に加えて第４から第６までのページセンサ１２４〜１２６により開かれているページを検出することができる。なお、第１から第６までのページセンサ１２１〜１２６は、ページを検知することができる赤外線センサまたは光センサであってもよい。
【００８６】
＜４．フラッシュの具体的構成＞
フラッシュ２０１Ｌ，２０１Ｒ，２０２Ｌ，２０２Ｒ，２０３Ｌ，２０３Ｒは、それぞれ図３に示す位置に配置されており、その前面（すなわち閃光が放たれる方向にある面）には視野選択性フィルム（または視野選択性ガラス）が設けられている。視野選択性フィルム（または視野選択性ガラス）は、例えば携帯電話の液晶表示面に貼られ、または建築用の外装ガラスとして用いられており、斜め方向から見えにくくする用途に供されている。この視野選択性フィルム（または視野選択性ガラス）は、当該フィルム面に対して垂直な方向から到来する光をほぼ１００％透過するが、当該垂直方向に対して特定の方向（例えば横方向）へ所定の角度（以下「限界角」と称する）を超える角度をなす方向から到来する光の強度を減衰する性質を有する。なお、この視野選択性フィルムは、この特定の方向に対する垂直方向（例えば縦方向）へ傾いた方向から到来する光の強度を減衰することはない。また、この視野選択性フィルムは、当該フィルム面に対して垂直な方向からの角度が限界角を超えて大きくなるにしたがってその減衰量が大きくなる構成であってもよいし、上記角度が限界角を超えるとほぼ完全に光を透過しない構成であってもよい。さらに、この視野選択性フィルムは、顕著な限界角を有しない構成であって当該フィルム面に対して垂直な方向からの角度が大きくなるにしたがってその減衰量が大きくなる構成であってもよい。この構成では、上記限界角は０であるか、０に近い微小値であるといえる。また、視野選択性フィルムは、偏向フィルタを含み、また必ずしも薄いフィルムである必要はなく厚い板であってもよいし、上記機能または構成を有する視野選択性素材であれば、プラスチックやガラスの他、どのような素材であってもよい。
【００８７】
ここでフラッシュ２０１Ｌを例に説明する。フラッシュ２０１Ｌは、カメラ１６により撮影されるべき方向を中心として図３に示す正面左側に配置されており、その前面には図３に示す正面右方向へ限界角を超える角度をなす方向へ放たれる閃光の強度を減衰するように視野選択性フィルムが配置されている。なお、このように配置された場合には、図３に示す正面上下方向に傾いた方向へ放たれる閃光の強度が減衰されることはない。また、利用者Ｕがカメラ１６から撮影に適する所定の位置に離れて立つ場合には、視野選択性フィルムの前面に対して垂直な方向から限界角以内の範囲に利用者Ｕが位置するものとし、利用者Ｕがカメラ１６から或る程度近い位置に立つ場合には、視野選択性フィルムの前面に対して垂直な方向から限界角を超えた範囲に利用者Ｕが位置するものとする。
【００８８】
図７は、フラッシュ２０１Ｌ、カメラ１６、および利用者Ｕの位置関係を説明するための平面図である。なお、図７では上記限界角がθで表されている。このように視野選択性フィルムを含むフラッシュ２０１Ｌが配置されると、利用者Ｕがカメラ１６から或る程度離れて立つ場合にはフラッシュ２０１Ｌから放たれた閃光が減衰されることなく利用者Ｕに照射され、利用者Ｕがカメラ１６に或る程度近づいて（図７に示す利用者Ｕ’の位置に）立つ場合には上記閃光が減衰されて利用者Ｕ（図７では利用者Ｕ’）に照射される。このため、利用者Ｕがカメラ１６に近づいて立つ場合にも、撮影に適さない強すぎる閃光が利用者Ｕに対して照射されることがない。
【００８９】
また、フラッシュ２０２Ｌについても、限界角が異なる他は同様に構成することができ、フラッシュ２０１Ｒおよび２０２Ｒについても同様に構成することができる。さらに、フラッシュ２０３Ｌおよび２０３Ｒについても同様に構成することができるが、これらのフラッシュは図３に示す正面上部付近に設けられているため、これらのフラッシュの前面には図３に示す正面下方向に限界角を超える角度をなす方向へ放たれる閃光の強度を減衰するように視野選択性フィルムが配置される構成であってもよい。このような構成によっても上記と同様の効果を得ることができる。
【００９０】
さらにフラッシュ２０１Ｌ，２０１Ｒ，２０２Ｌ，２０２Ｒ，２０３Ｌ，２０３Ｒの前面には上記の視野選択性フィルム（または視野選択性ガラス）に代えて、１つ以上の遮光板が設けられてもよい。以下、この遮光板がフラッシュ２０１Ｌの前面に設けられる場合を例に説明する。このフラッシュ２０１Ｌの前面に設けられる遮光板は、図３に示す正面上下方向を長手方向とし、正面奥行き方向を短手方向とする長方形の板またはフィンであり、正面左右方向に間隔をあけて複数が設けられている。このように遮光板を含むフラッシュ２０１Ｌが配置されると、利用者Ｕがカメラ１６から或る程度離れて立つ場合にはフラッシュ２０１Ｌから放たれた閃光が遮光板に遮られることなく利用者Ｕに照射され、利用者Ｕがカメラ１６に或る程度近づいて立つ場合には上記閃光の一部が遮光板に遮られて利用者Ｕに照射される。このため、利用者Ｕがカメラ１６に近づいて立つ場合にも、撮影に適さない強すぎる閃光が利用者Ｕに対して照射されることがない。なお、遮光板は完全に閃光を遮ってもよいし、閃光の強度を或る程度減衰して透過する半透明の板であってもよい。
【００９１】
上記のようなフラッシュ２０１Ｌ，２０１Ｒの構成と同様に、フラッシュ２０３Ｌ，２０３Ｒについても同様に構成することができるが、これらのフラッシュの前面に設けられる遮光板は、図３に示す正面左右方向を長手方向とし、正面奥行き方向を短手方向とする長方形の板またはフィンであり、正面上下方向に間隔をあけて複数が設けられている。図１５は、上記遮光板を有するフラッシュ２０３Ｌ，２０３Ｒの構成および利用者Ｕとの位置関係を示す図である。以下、この遮光板がフラッシュ２０３Ｌの前面に設けられる場合を例に説明する。図に示すように、（点線で示す）２枚の遮光板を含むフラッシュ２０３Ｌが配置されると、（正面方向から）限界角θを超える方向までの範囲内ではフラッシュ２０３Ｌから放たれた閃光が遮光板に遮られることなく利用者Ｕの頭上を超えて背景の上部近傍の所定位置に照射され、限界角θを超える範囲では上記閃光の一部が遮光板に遮られることにより利用者Ｕの頭部近傍に直接照射されることがない。このため、背景の上記所定位置を閃光により照らすことを望む場合にも、撮影に適さない強すぎる閃光が利用者Ｕに対して照射されることがない。
【００９２】
さらに、上記遮光板の下面には、利用者Ｕへの閃光の反射を抑えるための所定の素材や色が付されている。例えば、遮光板の下面は、銀素材等が貼り付けられることにより、グレーがかったマットな黒であることが好ましい。このことにより、美感を向上させつつ閃光の利用者Ｕへの不必要な反射を抑えることができる。
【００９３】
なお、以上ではフラッシュ２０３Ｌ，２０３Ｒに遮光板が設けられる構成について詳述したが、フラッシュ２０１Ｌ，２０１Ｒの構成と同様に、フラッシュ２０３Ｌ，２０３Ｒについてもその前面に視野選択性フィルム（または視野選択性ガラス）を配置することもできる。
【００９４】
また、フラッシュ２０１Ｌ，２０１Ｒは左右方向に限界角を有し、フラッシュ２０３Ｌ，２０３Ｒは上下方向に限界角を有するように構成されるが、これらのフラッシュは上下方向および左右方向に限界角を有するように構成されてもよい。このことは、上下方向に限界角を有する視野選択性フィルム（視野選択性ガラス）または遮光板と、左右方向に限界角を有する視野選択性フィルム（視野選択性ガラス）または遮光板とを重ね合わせることにより実現することができる。図１６は、上記限界角を有する２種類の遮光板を併せ持つフラッシュの構成を示す図である。より詳しくは、図１６（ａ）は、上記フラッシュの構成を示す正面図であり、図１６（ｂ）は、上記フラッシュの構成を示す側面図であり、図１６（ｃ）は、上記フラッシュの構成を示す平面図であり、図１６（ｄ）は、上記フラッシュの構成を示す概略的な斜視図である。図に示されるように上記フラッシュを構成すれば、上下方向および左右方向に限界角を有することになるため、所望の方向に閃光を放つことができる。また、遮光板の短手方向の長さを調節することにより、限界角を調節することもできる。例えば、遮光板の短手方向の長さを長くすることにより、限界角を小さくすることができる。このことは、視野選択性フィルム（視野選択性ガラス）を前面に有するフラッシュにおいても同様に実現することができる。よって、上記のフラッシュは、所望の位置（または範囲）を閃光により照らし、それ以外の位置（または範囲）を閃光により照らさないようにすることができる。
【００９５】
なお、上記遮光板は、上下方向および左右方向に限界角を有するが、その方向に限定はなく、また、３種類以上の方向が組み合わされていてもよい。また、遮光板の形状にも限定はなく、例えば曲面形状であってもよい。さらに、上記の構成は、フラッシュ２０１Ｌ，２０１Ｒ，２０２Ｌ，２０２Ｒ，２０３Ｌ，２０３Ｒのほか、後述する補助フラッシュ２１０Ｌ，２１０Ｒや、その他の照明装置においても同様に用いることができる。
【００９６】
＜５．補助フラッシュの具体的構成＞
補助フラッシュ２１０Ｌ，２１０Ｒは、利用者Ｕの頭部の上方かつ斜め後方からその頭部付近へ向けて閃光を放つように、図１および図２に示す位置に配置されている。このように利用者Ｕの頭部に斜め方向から閃光が照射されて撮影が行われることにより、撮影画像に写るべき利用者Ｕの頭部に光輪状の美しいつやが得られる。このつやは、少なくとも利用者Ｕの頭部の上方から閃光が照射されることにより得られるが、利用者Ｕの顔部付近に不必要な閃光が照射されないように頭部後方から照射される構成が好ましい。また、頭部の真後ろ方向から閃光が照射される構成よりも、斜め後方から照射される構成の方がより美しいつやが得られるのでより好ましく、さらに斜め４５度後方から照射される構成が最も美しいつやが得られるので最も好ましい。
【００９７】
また、補助フラッシュ２１０Ｌ，２１０Ｒの前面には、上述したフラッシュ２０１Ｌ，２０１Ｒ，２０２Ｌ，２０２Ｒ，２０３Ｌ，２０３Ｒと同様に、視野選択性フィルムが設けられている。なお、この視野選択性フィルムに代えて視野選択性ガラスまたは１つ以上の上記と同様の遮光板が設けられてもよい。この視野選択性フィルムは、図２に示す撮影室２の側面（図の上下）方向であって限界角を超える角度をなす方向へ放たれる閃光の強度を減衰するよう上記フラッシュの前面に配置される。具体的には、補助フラッシュ２１０Ｌ，　２１０Ｒは撮影室２の側面へ照射される閃光の強度を十分に減衰するように配置される。このように視野選択性フィルムを含む補助フラッシュ２１０Ｌ，２１０Ｒが配置されると、利用者Ｕの頭部には放たれた閃光が減衰されることなく照射されるとともに、撮影室２の側面（に吊されている図示されないサイドカーテン）には十分に減衰された閃光が照射されるため、その反射光が利用者Ｕの顔部等を照らすことがない。このように、頭部の髪だけに閃光を照射する構成により、サイドカーテンからの不要な反射光などの乱反射光を防いで、全体の照明環境のバランスを壊すことなく利用者Ｕの頭部に美しいつやが得られる。
【００９８】
また、変形例として、これらのフラッシュの前面には図１に示す正面下方向に限界角を超える角度をなす方向へ放たれる閃光の強度を減衰するように視野選択性フィルムが配置されてもよい。図８は、この補助フラッシュ２１０Ｌ，２１０Ｒおよび利用者Ｕの位置関係を説明するための側面図である。なお、図８では上記限界角がθで表されている。このように視野選択性フィルムを含むフラッシュ２０１Ｌが配置されると、利用者Ｕがカメラ１６に近づくことにより補助フラッシュ２１０Ｌ，２１０Ｒから或る程度離れて立つ場合にはこれらの補助フラッシュから放たれた閃光が減衰されることなく利用者Ｕに照射され、利用者Ｕがカメラ１６に或る程度離れることにより補助フラッシュ２１０Ｌ，２１０Ｒに近づいて立つ場合には上記閃光が減衰されて利用者Ｕに照射される。このため、利用者Ｕが補助フラッシュ２１０Ｌ，２１０Ｒに近づいて立つ場合にも、撮影に適さない強すぎる閃光が利用者Ｕに対して照射されることがない。ここで、比較的高い位置に配置される前述のフラッシュ２０３Ｌ，２０３Ｒは、上記変形例と同様に構成することが可能である。
【００９９】
なお、補助フラッシュ２１０Ｌ，２１０Ｒのいずれか一方は省略することが可能であり、省略される場合であっても上記つやが得られる。なお、利用者Ｕの立つ位置や人数、または利用者Ｕの選択操作に応じて、補助フラッシュ２１０Ｌ，２１０Ｒのいずれか一方のみが閃光を放つように図４に示すメイン制御部８０により照明の切り替え制御を行う構成であってもよい。
【０１００】
＜６．カーテンの具体的構成＞
図９は、カーテン３００の概略的な構成を示す斜視図である。カーテン３００は、多数の円の絵柄が描かれている第１のシート材３０１および多数の星の絵柄が描かれている第２のシート材３０２を含む複数のシート材と、これらのシート材の上辺近傍の複数の所定箇所を吊り下げるための第１のカーテンレール部３１１および第２のカーテンレール部３１２を含む複数のカーテンレール部とを備える。
【０１０１】
上記シート材は、柔らかな素材、例えばカーテン生地からなる。また、上記カーテンレール部は、レールに沿って移動可能に支持されている複数のランナを含み、これらのランナはそれぞれ対応するシート材の上記所定箇所にあけられた穴に掛止用の部材を通して当該シート材を吊り下げている。これらのカーテンレール部は、図１に示す撮影室２の天板の一部である取り付け面３２０に対して、取り付け用金具により固定されている。なお、これらのカーテンレール部に代えてパイプ構造の軸レールが備えられ、当該パイプの外径よりやや大きい内径を有する複数の吊りリングが軸レールに沿って移動可能なように支持されており、これらの吊りリングがそれぞれシートの上部付近にあけられた穴に挿通されて、シート材が吊り下げられる構成であってもよい。
【０１０２】
これらの各カーテンレール部にはそれぞれ２つのシート材が吊り下げられている。例えば、第１のカーテンレール部３１１には、第１のシート材３０１および第２のシート材３０２が吊り下げられている。もちろん、各カーテンレール部にはそれぞれ３つ以上のシート材が吊り下げられていてもよく、カーテンレール部間の間隔および全体の大きさによる制限を除きカーテンレール部の数に制限はない。
【０１０３】
各カーテンレール部に吊り下げられた２つの各シート材は、カーテンレール部のいずれか一方の端部付近で固定されておりその端部近傍にて折り畳むことができるとともに、カーテンレール部の一端から他端まで展開することができるように支持されている。このような支持状態は、例えば図１０および図１１に示される。図１０は、第１のシート材３０１が第１のカーテンレール部３１１の一端から他端まで展開された状態を示す図であり、図１１は、第２のシート材３０２が第１のカーテンレール部３１１の一端から他端まで展開された状態を示す図である。
【０１０４】
この構成によれば、各カーテンレール部に吊り下げられた各シート材の一方または双方を折り畳み、またはカーテンレール部の一端から他端もしくは途中まで展開させて、１つ以上のシート材を様々な位置に移動させることにより、様々な背景を作り出すことが可能である。以下、上記のように作出される背景について説明する。
【０１０５】
図１２は、各シート材が所定の位置に移動されて或る背景が作出される場合の一例を示す図である。図１２に示すように、多数の円の絵柄が描かれている第１のシート材３０１は、正面に向かって左側へ約２／３が折り畳まれ、約１／３が正面左側から展開されている。また、多数の星の絵柄が描かれている第２のシート材３０２は、正面に向かって右側へ約２／３が折り畳まれており、約１／３が正面右側から展開されている。このように各シート材を配置すれば、第１のカーテンレール部３１１の正面付近の約１／３が開いた状態になり、第２のカーテンレール部３１２に吊り下げられており正面右側から左側付近まで展開された多数のハートの絵柄が描かれている第３のシート材３０３を上記開いた部分から見ることが可能になる。したがって、カメラから見た背景は多数の円、ハート、星の絵柄が描かれているものとして構成される。
【０１０６】
図１３は、各シート材が所定の位置に移動されて或る背景が作出される場合の別例を示す図である。図１３に示すように、第１のシート材３０１は、正面に向かって左側へ完全に折り畳まれている。また、多数の星の絵柄が描かれている第２のシート材３０２は、正面に向かって右側へ約２／３が折り畳まれており、約１／３が正面右側から展開されている。さらに、多数のハートの絵柄が描かれている第３のシート材３０３は、正面に向かって右側へ約１／３が折り畳まれており、約２／３が正面右側から展開されている。このように各シート材を配置すれば、第１のカーテンレール部３１１の正面左側の約２／３および第２のカーテンレール部３１２の正面左側の約１／３が開いた状態になる。よって、第３のカーテンレール部３１３に吊り下げられており正面右側から展開された多数のダイヤの絵柄が描かれている第４のシート材３０４を上記開いた部分から見ることが可能になる。したがって、カメラから見た背景は多数のダイヤ、ハート、星の絵柄が描かれているものとして構成される。以上のように、本カーテン３００の構成によれば、１つ以上のシート材を様々な位置に移動させることにより、様々な背景を作出することが可能である。
【０１０７】
また本カーテン３００に含まれる上記シート材の１つ以上は、利用者Ｕの顔部が露出すべき開口部を有しており、例えばシート材表面に上記開口部を顔の位置とする人物や動物などの絵が描かれていることにより、撮影時のコスプレ（コスチュームプレイ）用の前景を構成することができるものであってもよい。図１４は、上記前景を構成すべきシート材が展開されているカーテン３００の斜視図である。このコスプレ用シート材３５０は、利用者Ｕの顔部が露出すべき第１の開口部３５１と、利用者Ｕの左手首から先の部分が露出すべき第２の開口部３５２を有しており、その表面には第１の開口部３５１を顔の位置とし、第２の開口部３５２を左手首の位置とする人物の絵が描かれている。利用者Ｕは、このコスプレ用シート材３５０の後ろ側（すなわちカメラ１６の反対方向側）に体を入れて、第１の開口部３５１から顔を出し、第２の開口部３５２から左手首を出す。このコスプレ用シート材３５０の構成により、利用者Ｕは擬似的な着替え遊び（コスチュームプレイ）を楽しみながら、描かれた人物等の絵を前景とする撮影画像を得ることができる。なお、コスプレ用シート材３５０は、前景を構成すべきシート材の一例であって、必ずしも着替え遊びに供される必要はなく、前景を構成するための絵が描かれているものであれば、どのようなものであってもよい。また、このコスプレ用シート材３５０を吊り下げているカーテンレール部のさらに後ろ側のカーテンレール部には、上述のような絵柄が描かれたシート材が吊り下げられるので、同時に背景を作出することが可能である。
【０１０８】
＜７．手持ちカメラの具体的構成＞
手持ちカメラ３０は、撮影室２において床面上に存在する利用者Ｕに把持されており、当該利用者Ｕを撮影して撮影画像を表す画像信号を出力する撮像部と、撮影されるべき範囲を映す撮影範囲確認部と、手持ちカメラ３０における撮像タイミングを決定するシャッタボタンとを備えている。
【０１０９】
手持ちカメラ３０は、撮像部であるＣＣＤ（電荷結合素子）を利用して画像信号を生成する小型ビデオカメラである。撮影範囲確認部は、小型ビデオカメラの画角とほぼ等しい画角を有する曲面ミラーであり、撮像部近傍であって利用者Ｕが視認しやすい位置に設けられる。この小型ビデオカメラの光軸と曲面ミラーの光軸とはほぼ平行になるように調整されている。このように構成すれば、曲面ミラーからの反射像は、小型ビデオカメラが撮像すべき画像とほぼ同一になる。そのため、利用者Ｕに撮影範囲確認部を視認させることにより、撮像部により撮影されるべき画像は、利用者Ｕにより撮影前に予め的確に予測される。よって、利用者Ｕはこの撮影範囲確認部を見ながら、手持ちカメラ３０の位置を調整して所望の撮影画像を得る。また、カメラ１６とは異なる位置からの撮像画像が得られるため、遊技性の高いスタンプ画像が作成される。なお、撮影範囲確認部は、曲面ミラーの他、ＬＣＤのようなディスプレイ装置であってもよい。その場合には、手持ちカメラ３０のスルー画像が当該ディスプレイ装置に表示される。また、前面に固定されたカメラ１６に代えて、上記手持ちカメラ３０またはその他の手持ちカメラを設けてもよい。さらに、手持ちカメラ３０またはその他の手持ちカメラは、例えばマイクスタンドのような位置を固定させるための保持装置に取り付けられる構成であってもよい。
【０１１０】
以下、利用者Ｕの操作に基づく手持ちカメラ３０の動作について説明する。利用者Ｕは、手持ちカメラ３０を把持し、撮影範囲確認部を見ながら所望の位置まで動かしてその位置を維持する。または、手持ちカメラ３０を任意の位置に保持する上記のような図示されない移動スタンドを設けて、当該移動スタンドが有する所定のホルダ部に手持ちカメラ３０を保持させてもよいし、撮影室２の壁などに上記ホルダ部を設けてこれに保持させてもよい。その後、利用者は適宜のタイミングで手持ちカメラ３０に取り付けられたシャッタボタンを押下する。その直後または数秒程度の予め決められた時間の経過後に撮影が行われる。撮影後のスタンプ画像の作成および編集動作については前述した。このように利用者Ｕが把持する手持ちカメラ３０にシャッタボタンが備えられる構成により、利用者Ｕの位置や姿勢が崩されることなく撮像が行われる。なお、以上では、手持ちカメラ３０およびカメラ１６はそれぞれ異なる所定の位置にシャッタボタンを有しており、これらのシャッタボタンが押下されることにより別々のタイミングで撮影が行われるように構成されるが、手持ちカメラ３０により撮影されるタイミングを決定するシャッタボタンとカメラ１６により撮影されるタイミングを決定するシャッタボタンとは同一であるように構成されてもよい。
【０１１１】
＜８．本実施形態の効果＞
上記のように本発明に係る一実施形態では、複数の画像処理コマンドを含むメニューが印刷されているページを表裏に有する第１から第３までのシート１１１〜１１３と、開かれているページを検出する第１から第６までのページセンサ１２１〜１２６とを含むブック型メニュー１１０をデジタイザ１０１Ｒ，１０１Ｌ上にそれぞれ載置する構成により、利用者Ｕがその嗜好に合わせた手順でメニューを選択することができるとともに、装置が起動されていない場合やプレイが開始されていない場合でも利用者Ｕがメニューを見ることができる低コストな入力手段を提供することができる。
【０１１２】
上記のように本発明に係る一実施形態では、フラッシュ２０１Ｌ，２０１Ｒ，２０２Ｌ，２０２Ｒ，２０３Ｌ，２０３Ｒの前面に視野選択性フィルム、視野選択性ガラス、または１つ以上の遮光板が設けられる構成により、利用者Ｕがカメラに近づいた場合でも、利用者に対して過度に強い閃光があたることなく撮影のための適切な照度を保つことができるフラッシュを提供することができる。また、カメラ１６から見て利用者Ｕの頭部の上方であって左右に約４５度後方からその頭部付近へ向けて閃光を放つように補助フラッシュ２１０Ｌ，２１０Ｒを配置する構成により、撮影画像に写るべき利用者Ｕの頭部に光輪状の美しいつやが得られる。さらに、補助フラッシュ２１０Ｌ，２１０Ｒの前面に視野選択性フィルム、視野選択性ガラス、または１つ以上の遮光板が設けられる構成により、撮影室２内（側面）からの不要な乱反射光を防ぎ、利用者Ｕの頭部にさらに美しいつやを得ることができる。さらにまた、ドーム型の反射板の曲率半径よりも近い距離に発光部を設けるドーム型フラッシュ６の構成により、発光部から放たれた閃光が反射板により広がりをもって反射されため、撮影室２内の撮影環境を均質にすることができる。また、撮影室２の天井にドーム型の形状が得られるため、美感上も好ましい。
【０１１３】
上記のように本発明に係る一実施形態では、カーテン３００に含まれる複数のシート材を吊り下げたカーテンレール部を撮影されるべき方向へ所定の間隔をあけて複数配置する構成により、利用者Ｕが自らの嗜好に合わせた背景を簡単に短時間で選択することができ、背景のバリエーションが豊富なカーテンを備える自動写真作成装置を提供することができる。
【０１１４】
上記のように本発明に係る一実施形態では、手持ちカメラ３０の撮像部の画角と撮影範囲確認部である曲面ミラーの画角とがほぼ等しく構成されるため、曲面ミラーからの反射像が撮像部により撮像されるべき画像とほぼ同一になる。そのため、利用者Ｕは、撮影範囲確認部を視認することにより、撮像部により撮影されるべき画像を撮影前に予め的確に予測することができ、手持ちカメラ３０の位置を調整して所望の撮影画像を得ることができる。また、カメラ１６とは異なる位置からの撮像画像が得られるため、遊技性の高いスタンプ画像が作成される。さらに利用者Ｕが把持する手持ちカメラ３０にシャッタボタンが備えられる構成により、利用者Ｕの位置や姿勢を崩すことなく撮像を行うことができる。
【０１１５】
上記のように本発明に係る一実施形態では、例えば画像編集入力が受け付け中である場合においても、手持ちカメラ５１のシャッタボタンが押下されることにより取得された撮影画像を付加画像として各種画像処理を行う構成により、利用者の嗜好に合わせたタイミングで様々な撮影画像を取得して合成画像を編集・作成することができる。したがって、遊技用写真作成装置の遊技性または娯楽性を高めることができる。
【図面の簡単な説明】
【図１】本発明の一実施形態に係る遊技用写真作成装置の側面図である。
【図２】上記一実施形態に係る遊技用写真作成装置の平面図である。
【図３】上記一実施形態に係る遊技用写真作成装置内部の本体部の正面図である。
【図４】上記一実施形態に係る遊技用写真作成装置の要部を機能面から見た構成を示すブロック図である。
【図５】上記一実施形態に係るブック型メニューの概略的な構成を示す平面図である。
【図６】上記一実施形態に係るブック型メニューの概略的な構成を示す正面図である。
【図７】上記一実施形態に係るフラッシュ、カメラ、および利用者の位置関係を説明するための模式図である。
【図８】上記一実施形態に係る補助フラッシュおよび利用者の位置関係を説明するための模式図である。
【図９】上記一実施形態に係るカーテンの概略的な構成を示す斜視図である。
【図１０】上記一実施形態に係る第１のシート材が第１のカーテンレール部の一端から他端まで展開された状態を示す図である。
【図１１】上記一実施形態に係る第２のシート材が第１のカーテンレール部の一端から他端まで展開された状態を示す図である。
【図１２】上記一実施形態に係る各シート材が所定の位置に移動されて或る背景が作出される場合の一例を示す図である。
【図１３】上記一実施形態に係る各シート材が所定の位置に移動されて或る背景が作出される場合の別例を示す図である。
【図１４】上記一実施形態に係る前景を構成すべきシート材が展開されているカーテンの斜視図である。
【図１５】上記一実施形態に係る遮光板を有するフラッシュの構成および利用者との位置関係を示す図である。
【図１６】上記一実施形態に係る２種類の遮光板を併せ持つフラッシュの構成を示す図である。
【符号の説明】
２　　…撮影室
４　　…本体部
１６　…カメラ
１７　…確認用ＬＣＤ
１８Ｌ，１８Ｒ　…タッチペン
２２　…メインディスプレイ装置（ＬＣＤ）
２６　…コイン投入口
２８　…写真シール取出口
５２　…カメラ
５４　…確認表示部（ＬＣＤ）
５８　…キャプチャ制御部
６０　…画像処理部
６２　…メイン表示部（メインディスプレイ装置）
６４　…写真シール出力部（プリンタ）
６６　…コイン入力部
６８　…表示入力部
７０　…照明部
７４　…ペン入力部
７６　…座標入力制御部
８０　…メイン制御部
８２　…非表示入力部
８４　…ページ検出部
１０１Ｌ，１０１Ｒ　…デジタイザ
１１０　…ブック型メニュー
１１１〜１１３　…第１から第３までのページ
１１５　…ページ綴代台
１２０　…認識パネル
１２１〜１２６　…第１から第６までのページセンサ
２０１Ｌ，２０１Ｒ，２０２Ｌ，２０２Ｒ，２０３Ｌ，２０３Ｒ，
２０４　…フラッシュ
２１０Ｌ，２１０Ｒ　…補助フラッシュ
３００　…カーテン
３０１〜３０４　…第１から第４までのシート材
３１１〜３１３　…第１から第３までのカーテンレール部
３５０　…コスプレ用シート材
Ｕ　　…利用者
θ　　…限界角
【図１】
2004029737.tif 000003
【図２】
2004029737.tif 000004
【図３】
2004029737.tif 000005
【図４】
2004029737.tif 000006
【図５】
2004029737.tif 000007
【図６】
2004029737.tif 000008
【図７】
2004029737.tif 000009
【図８】
2004029737.tif 000010
【図９】
2004029737.tif 000011
【図１０】
2004029737.tif 000012
【図１１】
2004029737.tif 000013
【図１２】
2004029737.tif 000014
【図１３】
2004029737.tif 000015
【図１４】
2004029737.tif 000016
【図１５】
2004029737.tif 000017
【図１６】
2004029737.tif 000018